(57)【特許請求の範囲】
【請求項１】
車室内に設けられている車体側部材に対して内装部品が、爪係止部を介して係止固定可能とされており、
該爪係止部が、前記車体側部材に設けられている爪孔と、前記内装部品に設けられている爪部と、前記爪部の基部に設けられている台座部とを有する車両用内装構造において、
前記車体側部材に対し、前記爪部の前記爪孔への嵌合係止前に、前記台座部をガイドして、前記内装部品の縁部が前記車体側部材に接触するのを防止可能なガイド部が設けられ、
前記ガイド部は、前記爪部の前記爪孔への嵌合係止時には、前記台座部に対するガイド状態が解放されているものであることを特徴とする車両用内装構造。
【請求項２】
請求項１に記載の車両用内装構造であって、
前記ガイド部は、前記爪孔に対する前記爪部の嵌合方向へ延びると共に、
前記ガイド部は、前記台座部よりも短いものとされていることを特徴とする車両用内装構造。
【請求項３】
請求項１または請求項２に記載の車両用内装構造であって、
前記車体側部材が、インストルメントパネルと、該インストルメントパネルの車幅方向中央部に設置されているセンター部材とで構成され、
前記内装部品が、前記センター部材に対して隣接配置されるグローブボックスとされており、
前記ガイド部は、前記グローブボックスの縁部が、前記センター部材の車室内に露出している部分に接触するのを防止可能なものとされていることを特徴とする車両用内装構造。
【発明の詳細な説明】
【技術分野】
【０００１】
この発明は、車両用内装構造に関するものである。
【背景技術】
【０００２】
自動車などの車両には、車室内の前部にインストルメントパネルなどの車体側部材が設置されている。
【０００３】
そして、このインストルメントパネルなどの車体側部材に対し、例えば、グローブボックスなどの内装部品を、爪係止部を介して係止保持させるように取付けることが行われている（例えば、特許文献１参照）。
【０００４】
上記した爪係止部は、車体側部材に設けられている爪孔と、内装部品に設けられている爪部と、爪部の基部に設けられている台座部とを有するものなどとされる。そして、爪孔へ爪部を挿入して係止させることでインストルメントパネルに対するグローブボックスの爪固定が行われるようになっている。
【先行技術文献】
【特許文献】
【０００５】
【特許文献１】特開２０１１−３３０４１号公報
【発明の概要】
【発明が解決しようとする課題】
【０００６】
しかしながら、上記特許文献１に記載された車両用内装構造には、以下のような問題があった。
即ち、インストルメントパネルとグローブボックスとの間には、グローブボックスの取付けを直接案内するような構造が特に設定されていなかったため、グローブボックスをインストルメントパネルに取付ける際に、グローブボックスの縁部がインストルメントパネルに接触してインストルメントパネルを傷付けてしまうおそれがあった。そのため、インストルメントパネルに対するグローブボックスの取付けは、注意深く慎重に行う必要があった。
【０００７】
そこで、本発明は、上記した問題点を解決することを、主な目的としている。
【課題を解決するための手段】
【０００８】
上記課題を解決するために、本発明は、
車室内に設けられている車体側部材に対して内装部品が、爪係止部を介して係止固定可能とされており、
該爪係止部が、前記車体側部材に設けられている爪孔と、前記内装部品に設けられている爪部と、前記爪部の基部に設けられている台座部とを有する車両用内装構造において、
前記車体側部材に対し、前記爪部の前記爪孔への嵌合係止前に、前記台座部をガイドして、前記内装部品の縁部が前記車体側部材に接触するのを防止可能なガイド部が設けられ、
前記ガイド部は、前記爪部の前記爪孔への嵌合係止時には、前記台座部に対するガイド状態が解放されているものであることを特徴とする。
【発明の効果】
【０００９】
本発明によれば、上記構成によって、内装部品を取付ける際の車体側部材の傷付きを防止することができる。
【図面の簡単な説明】
【００１０】
【図１】本実施の形態にかかる車両用内装構造を示す全体図（車両後方側から見た正面図）である。
【図２】図１のＡ−Ａ線に沿った断面図（爪係止部の嵌合前の状態）である。
【図３】爪係止部の嵌合後の状態を示す図２と同様の断面図である。
【図４】ガイド部を備えていない場合の作動図（図１と同様の車両後方側から見た正面図）である。
【図５】図４の場合における、図２と同様の断面図（爪係止部の嵌合前の状態）である。
【図６】図４の場合における、図３と同様の断面図（爪係止部の嵌合後の状態）である。
【発明を実施するための形態】
【００１１】
以下、本実施の形態を、図面を用いて詳細に説明する。
図１〜図６は、この実施の形態を説明するためのものである。
【実施例１】
【００１２】
＜構成＞以下、この実施例の構成について説明する。
【００１３】
自動車などの車両には、図１に示すように、車室１内に車体側部材２が設けられている。そして、この車体側部材２に対して内装部品３が、図２（および図３）に示すように、爪係止部４を介して係止固定可能とされている。
このような車両用内装構造では、爪係止部４が、上記車体側部材２に設けられている爪孔５と、上記内装部品３に設けられている爪部６と、上記爪部６の基部に設けられている台座部７とを有するものとされている。
【００１４】
ここで、車体側部材２および内装部品３については、後述する。爪係止部４は、車体側部材２と内装部品３との間に、単数または複数設けられる。爪部６は、爪孔５に嵌合係止されるものである。爪部６には、樹脂一体爪となっているものや、金属クリップを備えたものなど各種のものが存在しているが、どのようなものであっても良い。爪部６は、係止固定に必要な剛性が得られるように、内装部品３の一般的な肉厚よりは厚肉に構成されるのが一般的である。
【００１５】
台座部７は、爪部６の爪孔５に対する嵌合高さの調整用や、内装部品３の表面へのヒケ発生防止用などに設けられる。なお、ヒケなどの成形不良は、射出成形時の樹脂流動などの影響で、肉厚が変化しているような部分などに生じ易い。よって、内装部品３から直接爪部６を立設すると、内装部品３の表面に（厚肉の）爪部６によって肉厚が変化することでヒケが発生し易くなる。そこで、内装部品３と爪部６との間に内装部品３と同じ肉厚の台座部７を介在させることで、内装部品３の表面へのヒケの発生を防止できるようにする。
【００１６】
台座部７は、爪部６を内包可能な大きさの頂面８を有するほぼ直方体状のものとされる。台座部７の側面は、三面が壁となっていると共に、残りの一面に、台座部７を射出成形する際にスライド型が出入りするための開口部９が設けられている。なお、台座部７は、型抜きが可能なように、先端側（爪部６側）へ向かって僅かに先細りとされている。
【００１７】
以上のような基本的な構成に対し、この実施例では、以下のような構成を備えるようにしている。
【００１８】
（１）上記車体側部材２に対し、上記爪部６の上記爪孔５への嵌合係止前に、上記台座部７をガイドして、上記内装部品３の縁部１１が上記車体側部材２に接触するのを防止可能なガイド部１２が設けられるようにする。
【００１９】
ここで、内装部品３の縁部１１には、車体側部材２に対する位置合わせ用のフランジ部１５が設けられている。これに対し、車体側部材２には、内装部品３のフランジ部１５を受けるためのリブ１６が設けられている。そして、フランジ部１５とリブ１６とは、爪部６の爪孔５への嵌合係止時に互いに係止されることになる。そして、ガイド部１２を設けていない場合には、このフランジ部１５が、車体側部材２に接触する可能性が高い。
【００２０】
上記したガイド部１２は、（爪係止部４が複数設けられている場合には、）少なくとも１つの爪係止部４に対してその台座部７（被案内部）をガイドするように設けられる。この場合には、内装部品３の縁部１１に近い爪係止部４に対してガイド部１２を設けるようにしている。
【００２１】
ガイド部１２は、どのようなものであっても良いが、爪部６の爪孔５への嵌合係止前にのみ台座部７をガイドするものとされる。また、ガイド部１２は、内装部品３の縁部１１が、少なくとも、車体側部材２の車室１内に露出する部分に接触するのを防止可能なものとされる。
【００２２】
（２）上記ガイド部１２は、上記爪部６の上記爪孔５への嵌合係止時には、上記台座部７に対するガイド状態が解放されているものとされる。
【００２３】
ここで、ガイド状態が解放とは、爪部６が爪孔５へ嵌合係止される直前までガイド部１２によるガイドが行われると共に、爪部６が爪孔５へ嵌合係止される時点では、ガイド部１２によるガイド機能が終了した状態になることである。または、ガイド状態が解放とは、上記した時点に、ガイド部１２が（爪部６の基部の）台座部７に対して非接触状態となることである。
【００２４】
（３）より具体的には、上記ガイド部１２は、上記爪孔５に対する上記爪部６の嵌合方向２１へ延びるものとされる。
また、上記ガイド部１２は、上記台座部７よりも短いものとされる。
【００２５】
ここで、ガイド部１２は、ほぼ嵌合方向２１へ延びるガイドリブ２５とされる。但し、ガイドリブ２５は、ガイド機能に支障が生じない範囲で嵌合方向２１と若干ズレた方向へ延びるようにしても良い。ガイドリブ２５の先端のガイド面２５ａは、嵌合方向２１と平行にするのが好ましい。但し、ガイド面２５ａは、内装部品３の縁部１１が車体側部材２に接触しない範囲内で、嵌合方向２１から若干傾斜するようにしても良い。例えば、ガイドリブ２５のガイド面２５ａは、嵌合方向２１へ進むに従って、内装部品３の縁部１１が車体側部材２へ徐々に近付いて行くような傾斜部を有するようにしても良い。
【００２６】
そして、台座部７を、ガイドリブ２５の側に側面の開口部９が向くように設置することで、台座部７の頂面８の縁部８ａが、ガイドリブ２５にガイドされるようにする。更に、ガイド部１２（の延設方向または上記した嵌合方向２１の長さ）を、台座部７の開口部９の高さ寸法よりも短くする。これによって、ガイドリブ２５のガイド面２５ａが、開口部９の位置と重なることで、または、ガイドリブ２５のガイド面２５ａが、開口部９の位置と重なって開口部９から台座部７の内側（内部空間）へ入ることで、ガイド状態が解放されるようにする。
【００２７】
なお、ガイドリブ２５の両端部には、必要に応じて、台座部７の頂面８の縁部８ａに対するガイドがスムーズに開始されるようにするための導入用のテーパ部２６，２７などを設けることができる。
【００２８】
（４）具体的な適用例としては、上記車体側部材２が、インストルメントパネル３１と、このインストルメントパネル３１の車幅方向中央部に設置されているセンター部材３３とで構成される。
そして、上記内装部品３が、上記センター部材３３に対して隣接配置されるグローブボックス３４とされる。
上記ガイド部１２は、上記グローブボックス３４の縁部１１が、上記センター部材３３に接触するのを防止可能なものとされる。
【００２９】
ここで、インストルメントパネル３１は、車室１の前部に設置される樹脂製の大型の内装パネルのことである。また、センター部材３３は、インストルメントパネル３１に取付けられる樹脂製の小型のサブパネルのことである。なお、インストルメントパネル３１にセンター部材３３を取付ける前には、インストルメントパネル３１が車体側部材２となり、センター部材３３が内装部品３となる。即ち、車体側部材２と内装部品３との関係は、相対的なものである。よって、インストルメントパネル３１とセンター部材３３との間に、上記したガイド部１２を適用することも、構造的には可能である。また、車体側部材２や内装部品３は、上記したインストルメントパネル３１やセンター部材３３やグローブボックス３４などに限るものではない。
【００３０】
この実施例の場合、センター部材３３は、例えば、その上部に空調コントローラを取付けるための取付枠部３５を有するセンタークラスターパネルなどとされている。取付枠部３５は、例えば、（大型の）空調コントローラを取付けられるようにしたり、デザイン性を向上したり、または、目立ち易くしたりするなどのために、センター部材３３の下側の部分（センター部材本体３３ａ）と比べて横へ大きく張り出したような形状とされている。これに対し、グローブボックス３４の縁部１１の上部には、取付枠部３５の側面を避けるように迂回する切欠状の部分が設けられている（図１参照）。
【００３１】
このセンター部材３３は、インストルメントパネル３１に対し、爪係止部３６を介して係止固定可能とされている。この爪係止部３６が、インストルメントパネル３１に設けられている爪孔３７と、センター部材３３に設けられている爪部３８とを有している。なお、爪部３８の基部に対し、爪係止部４と同様の台座部は、設けるようにしても良いし、または、設けないようにしても良い。この場合には、爪係止部３６の部分で、センター部材３３がグローブボックス３４で隠されるため、高さ調整の必要がなく、また、ヒケが問題にならないので、爪係止部３６は台座部を備えていないものとされている。
【００３２】
グローブボックス３４は、リッド開閉型のものやバケット型のものなど各種のものが存在しているが、どのようなタイプのでも良い。この場合、グローブボックス３４は、固定部４１（例えば、グローブボックス本体など）と、可動部４２（例えば、リッド部やバケット部など、図１参照）とを備えており、上記した爪係止部４（の爪部６）は、固定部４１に設けられたものとされている。なお、グローブボックス３４は、インストルメントパネル３１に取付けられる内装部品３としては、最も大きく重いものの１つであり、取付け時の取扱いには特に注意を要するものとなっている。
【００３３】
そして、上記した爪係止部４（の爪部６）や爪係止部３６（の爪部３８）は、例えば、グローブボックス３４（の固定部４１）やセンター部材３３における、上下のコーナー部や、コーナー部間の中間部などに対して適宜設けられるのが一般的である。そして、この実施例の場合には、グローブボックス３４とセンター部材３３とは、上部の位置をほぼ揃えて設置されるようになっているので、上側のコーナー部の位置については、ほぼ同じ高さとなっている。
【００３４】
そのため、グローブボックス３４とセンター部材３３の上側のコーナー部に設けられる爪係止部４（の爪部６）と爪係止部３６（の爪部３８）とは、互いに近接した位置となっている。また、上記したようにセンター部材３３の上側の取付枠部３５の側面は、目立ち易い位置に設けられると共に、目立ち易いように横へ大きく出っ張った形状とされているため、グローブボックス３４の取付けに対して最も傷付き易く、しかも、最も傷が目立ち易い部位となっている。そこで、少なくとも、センター部材３３の上側の爪部３８の基部に対して、グローブボックス３４の上側の台座部７をガイドするガイド部１２を設けるようにしている。
【００３５】
＜作用＞以下、この実施例の作用について説明する。
【００３６】
車体側部材２に対して、内装部品３は、爪係止部４によって係止固定される。この際、車体側部材２の爪孔５に内装部品３の爪部６が嵌合されることで、爪係止部４は係止状態となる。また、爪部６の基部に台座部７を設けることによって、台座部７で、爪孔５に対する爪部６の嵌合高さを調整して、車体側部材２に対し最適な状態で内装部品３を取付けることができるようになる。また、爪部６と内装部品３との間に台座部７を介在させることにより、内装部品３の表面に爪部６によるヒケなどの成形不良が発生し難くすることができる。
【００３７】
この際、図４（図５、図６も併せて参照）に示すように、車体側部材２に対して内装部品３を取付ける際に、内装部品３の縁部１１（フランジ部１５）が車体側部材２（の車室１内に露出する部分）に接触すると（接触部４５）、車体側部材２に擦り傷４６（図６参照）などが付いてしまい、製品品質が保てなくなる。
【００３８】
＜効果＞この実施例によれば、以下のような効果を得ることができる。
【００３９】
（効果１）車体側部材２にガイド部１２を設けた。そして、このガイド部１２を、図２、図３に示すように、爪部６の台座部７をガイドするものとした。このようにガイド部１２に台座部７をガイドさせることで、爪部６の爪孔５への嵌合係止前に、内装部品３の縁部１１（フランジ部１５）が車体側部材２（の車室１内に露出する部分）と接触するのを防止することが可能となる。
【００４０】
その結果、車体側部材２に対して内装部品３を取付ける際に、内装部品３の縁部１１が車体側部材２に接触して車体側部材２に擦り傷４６が発生するのを防止して、製品品質を保持することが可能となる。
【００４１】
この際、台座部７は、爪部６と関連性があるため、ガイド部１２によってガイドさせるのに適しているである。
【００４２】
しかも、台座部７は、構造的に爪部６よりも一回り大きくなっている（または、爪部６を内包可能な大きさの頂面８を有している）ため、ガイド部１２が台座部７をガイドすることで、車体側部材２と内装部品３は自然と接触を起こさない間隔に保たれるので、被案内部としては最適である。
【００４３】
更に、上記したように、ガイド部１２を設けることによって、車体側部材２の傷付きを確実に防止できるようになるため、車体側部材２に対する内装部品３の取付けを必要以上に慎重に行う必要がなくなるので、内装部品３の取付けを容易化することが可能になる。
【００４４】
（効果２）ガイド部１２を、爪部６の爪孔５への嵌合係止時に、台座部７に対するガイド状態が解放されているようなものとした。これにより、内装部品３の取付けの前半は、ガイド部１２のガイド機能が有効に機能し、取付けの後半は、ガイド部１２のガイド機能がなくなって、爪係止部４による係止固定の機能が有効に働くように切り替わるので、取付けの後半に台座部７に対するガイド部１２のガイド機能が邪魔にならないようにすることができ、即ち、ガイド部１２と爪係止部４とによる二重規制が起こらないようにして、爪部６の爪孔５への嵌合係止機能を確実に行わせることが可能となる。
【００４５】
また、ガイド部１２が、爪部６の基部に設けられた台座部７をガイドするようにしたことで、ガイド部１２のガイド機能と爪係止部４の嵌合係止との切り替えのタイミングの設定・調整を容易化および確実化することができる。
【００４６】
（効果３）ガイド部１２を、爪孔５に対する爪部６の嵌合方向２１へ延びると共に、台座部７の内側（内部空間）の高さよりも短いもの（ガイドリブ２５）とした。これにより、ガイド部１２は、ガイドリブ２５のガイド面２５ａが、開口部９の位置と重なる、または、ガイドリブ２５のガイド面２５ａが、開口部９から台座部７の内側（内部空間）へ入るようになる。その結果、ガイド部１２が台座部７の開口部９へ退避されることで、ガイド状態を解放させることができるようになり、台座部７の内部空間を上記した二重規制の防止のために有効活用することができる。
【００４７】
（効果４）車体側部材２を、インストルメントパネル３１と、センター部材３３とし、内装部品３を、センター部材３３に隣接配置されるグローブボックス３４とした。これにより、センター部材３３が先に設置されているインストルメントパネル３１に対して、グローブボックス３４を後から取付ける際に、グローブボックス３４の縁部１１がインストルメントパネル３１に設置されたセンター部材３３に接触してセンター部材３３が傷付くのを、ガイド部１２によって確実に防止することができる。よって、センター部材３３の傷付きを気にすることなくインストルメントパネル３１にグローブボックス３４を容易に取付けることができるようになる。
【００４８】
更に、センター部材３３をインストルメントパネル３１へ取付けるための爪部３８の基部またはその周辺にガイド部１２を設けることによって、車体側部材２（センター部材３３の爪部３８）を補強する効果を得ることもできる。
【００４９】
以上、実施例を図面により詳述してきたが、実施例は例示にしか過ぎないものである。よって、本発明は、実施例にのみ限定されるものではなく、要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００５０】
１    車室
２    車体側部材
３    内装部品
４    爪係止部
５    爪孔
６    爪部
７    台座部
１１  縁部
１２  ガイド部
２１  嵌合方向
３１  インストルメントパネル
３３  センター部材
３４  グローブボックス
【図１】
0006571021.tif 000002
【図２】
0006571021.tif 000003
【図３】
0006571021.tif 000004
【図４】
0006571021.tif 000005
【図５】
0006571021.tif 000006
【図６】
0006571021.tif 000007